(57)【要約】【課題】  炎であると認識されるような光を提供する。【解決手段】  装飾用照明装置は、開口を介して外部から視認できる内部空間を備えている筐体と、当該筐体内に設けられ、当該内部空間に霧を放出する噴霧器と、当該筐体内に設けられ、当該内部空間に光を射出する光源と、当該筐体内に設けられ、当該内部空間に存在する気体を当該筐体外へと排出するファンとを有する。そして、当該噴霧器と当該ファンは、当該内部空間を介して対向する位置に配置されている。この場合、噴霧器から当該内部空間への霧の放出、光源から当該内部空間への光の射出、及び、ファンによる当該内部空間に存在する気体の当該筐体外への排出を同時に行うことが可能である。これにより、当該内部空間において、光が乱反射し、炎であると認識されるような光を提供することができる。【選択図】図２
2018006200.tif 000002
【特許請求の範囲】
【請求項１】
開口を介して外部から視認できる内部空間を備えている筐体と、
前記筐体内に設けられ、前記内部空間に霧を放出する噴霧器と、
前記筐体内に設けられ、前記内部空間に光を射出する光源と、
前記筐体内に設けられ、前記内部空間に存在する気体を前記筐体外へと排出するファンと、を有し、
前記噴霧器と前記ファンは、前記内部空間を介して対向する位置に配置されている装飾用照明装置。
【請求項２】
前記筐体は、概略円柱形状である請求項１に記載の装飾用照明装置。
【請求項３】
前記噴霧器は、前記内部空間よりも下に配置され、
前記光源は、前記噴霧器と前記内部空間の間に配置され、
前記ファンは、前記内部空間よりも上に配置されている請求項１又は請求項２に記載の装飾用照明装置。
【請求項４】
前記筐体は、前記内部空間と前記噴霧器の間に外気を取り込むための空気穴を備える請求項１乃至請求項３のいずれか一項に記載の装飾用照明装置。
【請求項５】
前記霧は、芳香剤又は消臭剤である請求項１乃至請求項４のいずれか一項に記載の装飾用照明装置。
【請求項６】
前記霧の平均粒子径は、３０μｍ以上１００μｍ以下である請求項１乃至請求項５のいずれか一項に記載の装飾用照明装置。
【請求項７】
前記噴霧器は、超音波を利用して液体を霧化する請求項１乃至請求項６のいずれか一項に記載の装飾用照明装置。
【請求項８】
前記光の波長は、５５５ｎｍ以上６５５ｎｍ以下である請求項１乃至請求項７のいずれか一項に記載の装飾用照明装置。
【請求項９】
前記光源は、発光ダイオードである請求項１乃至請求項８のいずれか一項に記載の装飾用照明装置。
【請求項１０】
前記噴霧器は、前記筐体の中心軸を中心として霧を放出し、
前記光源は、前記中心軸と重ならないように配置され、
前記光源から射出される光線の光照射方向に沿った光線中心線と、前記中心軸とがなす鋭角は、５度以上１０度以下であり、
前記ファンは、前記中心軸を中心として前記内部空間に存在する気体を前記筐体外へと排出する請求項１乃至請求項９のいずれか一項に記載の装飾用照明装置。
【請求項１１】
前記光線中心線と、輝度が前記光線中心線における輝度の半分となる第１点及び前記光源から射出される光線の射出口のうち前記第１点に最も近接する第２点を通る直線とがなす鋭角は、０度を超え２．５度以下である請求項１０に記載の装飾用照明装置。
【請求項１２】
前記筐体内に設けられ、前記霧を前記噴霧器から前記内部空間まで誘導するための筒を備える整流板をさらに有する請求項１乃至請求項１１のいずれか一項に記載の装飾用照明装置。
【請求項１３】
前記整流板は、前記光源から射出される光線を透過させるための隙間を備える請求項１２に記載の装飾用照明装置。
【請求項１４】
複数の開口のそれぞれを介して外部から視認できる内部空間を備えている筐体と、
前記筐体内に設けられ、前記内部空間に霧を放出する噴霧器と、
前記筐体内に設けられ、前記内部空間に光を射出する光源と、
前記筐体内に設けられ、前記内部空間に存在する気体を前記筐体外へと排出するファンと、を有し、
前記複数の開口は、前記筐体の中心軸を基準として対称的に設けられ、
前記噴霧器と前記ファンは、前記内部空間を介して対向する位置に配置されている装飾用照明装置。
【請求項１５】
前記内部空間は、前記複数の開口によって、外周の８割以上９割以下の領域が開放されている請求項１４に記載の装飾用照明装置。
【請求項１６】
開口を介して外部から視認できる内部空間を備えている筐体と、
前記筐体内に設けられ、前記内部空間に霧を放出する噴霧器と、
それぞれが前記筐体内に設けられ、前記内部空間にそれぞれから光を射出する複数の光源と、
前記筐体内に設けられ、前記内部空間に存在する気体を前記筐体外へと排出するファンと、を有し、
前記複数の光源は、前記筐体の中心軸を基準として対称的に設けられ、
前記噴霧器と前記ファンは、前記内部空間を介して対向する位置に配置されている装飾用照明装置。
【請求項１７】
前記複数の光源は、同一の波長の光を射出する請求項１６に記載の装飾用照明装置。
【請求項１８】
前記複数の光源は、第１波長の光を射出する第１光源、及び、前記第１波長と異なる第２波長の光を射出する第２光源を有する請求項１６に記載の装飾用照明装置。
【請求項１９】
前記第１波長は、５５５ｎｍ以上６５５ｎｍ以下であり、
前記第２波長は、５７５ｎｍ以上６７５ｎｍ以下である請求項１８に記載の装飾用照明装置。
【請求項２０】
前記第１波長の光の輝度は、前記第２波長の光の輝度の４倍以上５倍以下である請求項１９に記載の装飾用照明装置。
【発明の詳細な説明】
【技術分野】
【０００１】
本発明の一態様は、照明装置に関する。特に、自然な炎であると認識されるような光を具現化する装飾用照明装置に関する。
【背景技術】
【０００２】
照明装置は、生活する上で重要なものである。夜間には視界を確保するために照明装置が不可欠であるし、また、日中においても、室内においては照明装置が利用されていることが多い。また、照明装置は、このような実用的な側面のみならず、審美的な側面も有する。例えば、クリスマスなどの時期においては、各地でイルミネーションが実施されることが多い。
【０００３】
装飾用に用いられる照明装置も開発されている。例えば、特許文献１には、炎に似せた光を提供する照明装置が開示されている。具体的には、特許文献１に記載の照明装置においては、霧発生装置２からカップ状部材３内に霧が放出される。そして、当該霧は、カップ状部材３内に設けられたファン４によって上方に拡散される。この状態において、当該拡散された霧に赤色ランプ１７から赤色光が照射される。その結果、当該拡散された霧によって当該赤色光が乱反射され、当該カップ状部材３上に炎であると認識されるような光を提供することができる。
【先行技術文献】
【特許文献】
【０００４】
【特許文献１】特開平１１−１８５５０１号公報
【発明の概要】
【発明が解決しようとする課題】
【０００５】
炎は無形物ではあるものの炎であると認識されやすい形状は存在し、また、その形状は絶えず流動するものである。具体的には、自然な炎は、被燃焼物近傍においてその幅が広く、そこから上方に離れるに従ってその幅が狭く、尖るような形状を備える。また、自然な炎は、その先端部分を中心として揺らぐ。そのため、炎であると認識されるような光を提供する場合には、光を用いて、このような形状及び動作を具現化することが重要となる。
【０００６】
ここで、引用文献１に記載の照明装置においては、ファン４によって霧が放射上に拡散される。そのため、霧によって乱反射される光の下部の幅よりも、当該光の上部の幅の方が広くなりやすい。よって、当該照明装置においては、上記の自然な炎の形状を具現化することが困難である。また、当該照明装置においては、ファン４によって、特定の一方向への気体の流れが作られる。そのため、霧によって乱反射される光の先端が常に一定の領域に存在しやすくなる。よって、当該照明装置においては、上記の自然な炎の動作を具現化することが困難である。
【０００７】
上述した点に鑑み、本発明の一態様は、自然な炎であると認識されるような光を提供することを課題の一とする。
【課題を解決するための手段】
【０００８】
本発明の一態様の装飾用照明装置は、開口を介して外部から視認できる内部空間を備えている筐体と、当該筐体内に設けられ、当該内部空間に霧を放出する噴霧器と、当該筐体内に設けられ、当該内部空間に光を射出する光源と、当該筐体内に設けられ、当該内部空間に存在する気体を当該筐体外へと排出するファンとを有する。そして、当該噴霧器と当該ファンは、当該内部空間を介して対向する位置に配置されている。
【発明の効果】
【０００９】
本発明の一態様の装飾用照明装置においては、噴霧器から当該内部空間への霧の放出、光源から当該内部空間への光の射出、及び、ファンによる当該内部空間に存在する気体の当該筐体外への排出を同時に行うことが可能である。これにより、当該内部空間において、光が乱反射し、炎であると認識されるような光を提供することができる。
【００１０】
さらに、本発明の一態様の装飾用照明装置においては、ファンによって内部空間に存在する気体が排出される。すなわち、当該ファンは、気体を吸い込むものである。そして、ファンの吸引力は、ファンと、対象となる気体との間隔が短くなるほど大きくなる。すなわち、内部空間において、ファンの近傍の領域に存在する気体には、ファンから遠い領域に存在する気体と比較して、吸引力が強く加わる。ここで、本発明の一態様の装飾用照明装置においては、噴霧器とファンが内部空間を介して対向する位置に配置されている。そのため、噴霧器から放出される霧は、噴霧器近傍の領域において比較的多く存在し、ファン近傍の領域において比較的少なく存在することになる。その結果、当該霧によって乱反射された光は、噴霧器近傍においてその幅が広く、そこからファンの方向に距離が離れるに従ってその幅が狭く、尖るような形状になる。すなわち、本発明の一態様の装飾用照明装置においては、光を用いて、上記の自然な炎の形状を具現化することが可能である。
【００１１】
また、本発明の一態様の装飾用照明装置においては、筐体に外部から内部空間を視認するための開口が設けられている。これにより、内部空間に存在する霧に、開口を介して、ファンによる吸引以外の気体の流れを付与することが可能となる。そのため、当該霧の動きが不規則になる。その結果、当該霧によって乱反射された光も揺らぐようになる。すなわち、本発明の一態様の装飾用照明装置においては、光を用いて、上記の自然な炎の動作を具現化することが可能である。
【図面の簡単な説明】
【００１２】
【図１】装飾用照明装置の一例を示す正面図。
【図２】装飾用照明装置の一例を示す縦断面図。
【図３】装飾用照明装置の一例を示す上面図。
【図４】装飾用照明装置の一例を示す縦断面図。
【図５】光源の一例を示す図。
【図６】光源の一例を示す図。
【図７】装飾用照明装置の一例を示す縦断面図。
【図８】整流板の一例を示す上面図。
【図９】装飾用照明装置の一例を示す縦断面図。
【図１０】装飾用照明装置の一例を示す縦断面図。
【図１１】装飾用照明装置の一実施例を示す斜視図。
【図１２】光源ユニットの一実施例を示す斜視図。
【図１３】整流板の一実施例を示す斜視図。
【図１４】装飾用照明装置によって具現化される光の一例を示す図。
【図１５】装飾用照明装置によって具現化される光の一例を示す図。
【発明を実施するための形態】
【００１３】
１  装飾用照明装置
図１〜図３は、それぞれ本発明の一態様の装飾用照明装置の正面図、縦断面図及び上面図である。当該装飾用照明装置は、正面から見て、筐体１０に設けられている開口１１を介して炎であると認識されるような光９０を提供することが可能である（図１参照）。
【００１４】
具体的には、当該装飾用照明装置は、開口１１を介して外部から視認できる内部空間１２を備えている筐体１０と、筐体１０内に設けられ、内部空間１２に霧を放出する噴霧器２０と、筐体１０内に設けられ、内部空間１２に光を射出する光源３０と、筐体１０内に設けられ、内部空間１２に存在する気体を筐体１０外へと排出するファン４０とを有する（図２参照）。具体的には、噴霧器２０は、内部空間１２に対して、その下方から霧を放出するものである。また、光源３０は、内部空間１２に対して、その下方から斜め上方に向かって光を射出するものである。また、ファン４０は、内部空間１２の上方に位置し、上方向へと内部空間１２に存在する気体を排出するものである。また、噴霧器２０とファン４０は、内部空間１２を介して対向する位置に配置されている。また、噴霧器２０と光源３０は、内部空間１２からみて同方向（下方向）に配置されている。
【００１５】
そして、当該装飾用照明装置においては、噴霧器２０から内部空間１２に霧が放出された状態で光源３０から内部空間１２に光を照射することで、内部空間１２に炎であると認識されるような光を具現化することが可能である。また、当該霧は、ファン４０を介して筐体１０外へと排出されるため、当該装飾用照明装置は、加湿器として機能させることも可能である。
【００１６】
また、当該装飾用照明装置においては、ファン４０によって内部空間１２に存在する気体が排出される。ここで、ファン４０の吸引力は、ファン４０と、対象となる気体との間隔が短くなるほど大きくなる。すなわち、内部空間１２において、ファン４０の近傍の領域に存在する気体には、ファン４０から遠い領域に存在する気体と比較して、吸引力が強く加わる。そのため、噴霧器２０から放出される霧は、噴霧器２０近傍の領域において比較的多く存在し、ファン４０近傍の領域において比較的少なく存在することになる。その結果、当該霧によって乱反射された光は、噴霧器２０近傍においてその幅が広く、そこからファン４０の方向に距離が離れるに従ってその幅が狭く、尖るような形状になる。すなわち、当該装飾用照明装置においては、光を用いて、自然な炎の形状を具現化することが可能である。
【００１７】
さらに、当該装飾用照明装置においては、筐体１０に外部から内部空間１２を視認するための開口１１が設けられている。これにより、内部空間１２に存在する霧に、開口１１を介して、ファン４０による吸引以外の気体の流れを付与することが可能となる。そのため、当該霧の動きが不規則になる。その結果、当該霧によって乱反射された光も揺らぐようになる。すなわち、当該装飾用照明装置においては、光を用いて、自然な炎の動作を具現化することが可能である。
【００１８】
（１）筐体
図１〜３に示されている装飾用照明装置においては、筐体１０は概略円柱形状であるものの、本発明の一態様において、筐体の形状は限定されない。例えば、当該筐体は、概略楕円柱形状、概略円錐形状、概略多角柱形状、概略多角錘形状、概略球形状などであってもよい。ただし、本発明の一態様においては、内部空間から均一に排気が行われることが好ましい。例えば、図１〜３に示されるように概略円柱形上の筐体１０を採用し、当該円柱の横断面において均一に排気が行われるようにすることが好ましい。
【００１９】
また、本発明の一態様においては、噴霧器２０と光源３０の間に外気を取り込むための空気穴１３Ａ、１３Ｂが筐体１０に設けられていることが好ましい。これにより、噴霧器２０から放出された霧を内部空間１２に均一に拡散させることが容易になるからである。
【００２０】
（２）噴霧器
本発明の一態様の装飾用照明装置における噴霧器としては、霧を放出することができるものであればどのようなものであってもよい。例えば、当該噴霧器として、超音波振動子によって液体を振動させることで霧を生成、放出する装置などを適用することが可能である。
【００２１】
また、当該霧は、芳香剤又は消臭剤であることが好ましい。これにより、当該装置が、装飾という機能のみならず芳香又は消臭という機能をも備えるようになるからである。
【００２２】
また、当該霧の平均粒子径は、３０μｍ以上１００μｍ以下であることが好ましい。これにより、上記の自然な炎の形状及び動作により近くなるように、霧による光の乱反射及びファンによる霧の排気が行われるようになるためである。
【００２３】
また、噴霧器が取り外し可能な液体タンクを備えていてもよい。この場合、当該噴霧器によって霧へと変化させられる液体の補充を容易に行うことが可能となる。
【００２４】
（３）光源
本発明の一態様の装飾用照明装置は、炎であると認識されるような光を具現化するためのものである。そのため、当該光源から照射される光の波長は、赤色領域にある（５５５ｎｍ以上６５５ｎｍ以下である）ことが好ましい。
【００２５】
また、本発明の一態様の装飾用照明装置における光源としては、光を放出することができるものであればどのようなものであってもよい。例えば、当該光源は、発光ダイオード（ＬＥＤ）及び蛍光灯などであってもよい。ただし、本発明の一態様においては、光源が比較的指向性の高い光を供給することが好ましい。これにより、上記の自然な炎の形状及び動作を容易に具現化することが可能となるからである。そのため、当該光源として、例えば、ＬＥＤを採用することが好ましい。
【００２６】
なお、本明細書において比較的指向性の高い光とは、図５に示されるように、当該光源から発せられる光の輝度が最も高くなる光線中心線Ｌ１と、輝度が当該光源中心線における輝度の半分となる点Ａと当該光源から射出される光線の射出口のうち当該点Ａに最も近接する点Ｂを通る直線とがなす鋭角θ１が、０度を超え２．５度以下となる光を意味する。
【００２７】
（４）ファン
本発明の一態様の装飾用照明装置におけるファンとしては、内部空間に存在する気体を筐体外へと排出することができるものであればどのようなものであってもよい。例えば、当該ファンとして、プロペラファン、シロッコファン、ターボファン及び斜流ファンなどを適用することが可能である。
【００２８】
（５）相関関係
本発明の一態様の装飾用照明装置においては、噴霧器、光源、内部空間及びファンの相対的な位置関係は、特に限定されない。ただし、これらは、図２に示される通り、以下の理由から、下から噴霧器２０、光源３０、内部空間１２及びファン４０の順序で配置されていることが好ましい。
【００２９】
まず、噴霧器上に内部空間を配置することで、噴霧器から放出される霧が内部空間を通ることなく筐体外に排出されることを抑制することが可能である。また、光源を噴霧器よりも内部空間に近接させることで、輝度を低減することなく霧に光を照射することが可能である。また、ファンが最上部に配置されていることで、霧が筐体外に排出された後に筐体を中心として放射状に霧を拡散される。この場合、霧が特定の箇所で液化することを抑制されるとともに、上記の加湿、芳香及び消臭という機能を効果的に発揮させることが可能である。
【００３０】
また、噴霧器から放出された霧は、内部空間に均一に拡散されることが好ましい。そのため、噴霧器は、筐体の中心軸を中心として霧を放出することが好ましい。
【００３１】
また、光源は、当該霧の内部空間への拡散を妨害しないことが好ましい。そのため、光源は、当該中心軸と重ならないように配置されていることが好ましい。
【００３２】
また、光源から射出される光を効果的に霧によって乱反射させるとともに内部空間の上部まで光を照射するために、光源は当該中心軸に対して所望の角度範囲内で傾斜した角度で光を射出する（傾斜面に配置される）ことが好ましい。具体的には、図６に示されるように、光源から射出される光線の光照射方向に沿った光線中心線Ｌ１と、当該中心軸Ｌ３とがなす鋭角（当該傾斜面の傾斜角）θ２が５度以上１０度以下であることが好ましい。
【００３３】
また、内部空間に存在する空気の排気が均一に行われるようにするために、ファンは、当該中心軸を中心として内部空間に存在する空気を排出することが好ましい。
【００３４】
２  変形例
上述した本発明の一態様は、一例であり、これらは適宜変更することが可能である。例えば、本発明の一態様は、以下のように変形することが可能である。なお、本発明の一態様として、後述する変形例の複数を組み合わせることも可能である。
【００３５】
（１）変形例１
図７は、本発明の一態様の装飾用照明装置の縦断面図である。図７に示される装飾用照明装置は、図１〜３に示される装飾用照明装置が備える構成に加えて、筐体１０の開口１１の下端部及び窪み１４において支持されている整流板５０を有する。また、図８は、整流板５０の上面図である。なお、整流板５０は、噴霧器２０から放出される霧を内部空間１２まで誘導するための筒５１と、光源３０から射出される光線を透過させるための隙間５２とを備える。
【００３６】
当該装飾用照明装置においては、内部空間１２への霧の供給を確実に行うこと、及び、外部から視認できない筐体内の領域において光が乱反射されることを抑制することが可能である。
【００３７】
なお、図７に示される装飾用照明装置において、図４に示されるように空気穴１３Ａ、Ｂが設けられる場合、筒５１に当該空気穴１３Ａ、Ｂを介して流入した外気を混入させることが好ましい。例えば、筒５１の側壁にも、外気を取り込むための空気穴を設けることが好ましい。また、隙間５２に透明なガラス又はアクリル板などを設けてもよい。
【００３８】
（２）変形例２
図９は、本発明の一態様の装飾用照明装置の縦断面図である。図９に示される装飾用照明装置は、筐体１０に複数の開口１１Ａ、１１Ｂが設けられている点を除き、図１〜３に示される装飾用照明装置と同様の構成を有する。
【００３９】
当該装飾用照明装置においては、多方向から炎であると認識されるような光を鑑賞することが可能である。また、内部空間に存在する霧に、複数の開口を介して、ファンによる吸引以外の複数の気体の流れを付与することが可能である。すなわち、当該装飾用照明装置においては、図１〜３に示される装飾用照明装置以上に、上記の自然な炎の動作を具現化することが可能である。
【００４０】
なお、当該装飾用照明装置においては、筐体１０の中心軸を基準として、複数の開口１１Ａ、１１Ｂが対称的に設けられていることが好ましい。例えば、筐体１０に３つの開口が設けられる場合には、当該３つの開口の中心が、当該中心軸を中心として、１２０度毎に設けられていることが好ましい。これにより、内部空間１２において具現化される光を概ね中心軸の近傍に位置させることができるからである。
【００４１】
さらに、当該装飾用照明装置においては、ファン４０を支持するために必要な部分を除き、内部空間１２の外周が開放されていることが好ましい。これにより、より多くの外気が内部空間１２へと流入することになる。その結果、装飾用表示装置によって提供される光の動作が、自然な炎の動作により近づくからである。例えば、内部空間１２は、複数の開口１１Ａ、１１Ｂによって、外周の８割以上９割以下の領域が開放されていることが好ましい。
【００４２】
（３）変形例３
図１０は、本発明の一態様の装飾用照明装置の縦断面図である。図１０に示される装飾用照明装置は、筐体１０内に複数の光源３０Ａ、３０Ｂが設けられている点を除き、図１〜３に示される装飾用照明装置と同様の構成を有する。当該装飾用照明装置においては、多方向から霧に光が照射されるため、炎であると認識されるような光を立体的に具現化することが可能である。
【００４３】
なお、当該装飾用照明装置においては、筐体１０の中心軸を基準として、複数の光源３０Ａ、３０Ｂが対称的に設けられていることが好ましい。例えば、筐体１０に３つの光源が設けられる場合には、当該３つの光源が、当該中心軸を中心として、１２０度毎に設けられていることが好ましい。これにより、内部空間１２において具現化される光を概ね中心軸の近傍に位置させることができるからである。
【００４４】
また、光源３０Ａ、３０Ｂとして、同一波長の光を照射する光源を適用してもよいし、異なる波長の光を照射する光源を適用してもよい。ただし、光源３０Ａと光源３０Ｂとして、異なる波長の光を照射する光源を適用する場合、自然な炎の色彩に近い光を具現化することができる点で好ましい。具体的には、図１０に示されるように、光源３０Ａ、３０Ｂの一方から内部空間１２の広範囲に低温領域（例えば、赤色領域）の波長（５７５ｎｍ以上６７５ｎｍ以下）の光９１を照射させ、かつ、光源３０Ａ、３０Ｂの他方から内部空間１２の中心近傍のみに高温領域（例えば、オレンジ色領域）の波長（５５５ｎｍ以上６５５ｎｍ）の光９２を照射させる場合、内部空間１２に自然な炎の色彩に近い光を具現化することが可能である。なお、この場合、当該高温領域の波長の光１１１の輝度は、当該低温領域の波長の光１１２の輝度の４倍以上５倍以下とすることが好ましい。
【実施例】
【００４５】
図１１は、本発明の一実施例を示す斜視図である。図１１に示される装飾用照明装置は、側壁に３つの開口が設けられている筐体１００と、筐体１００の下部内に配置されている噴霧器２００と、噴霧器２００上に配置されている光源３００と、光源３００上に配置されている整流板５００と、筐体１００の上部内に配置されているファン４００とを有する。さらに、当該装飾用照明装置においては、噴霧器２００を内包する筐体１００の側壁と、光源３００を内包する筐体１００の側壁との間に、複数の空気穴１３０と、噴霧器２００による霧の噴霧、光源３００による光の射出、及び、ファンによる排気を制御する操作スイッチ６００とが設けられている。ここで、筐体１００は、直径約６５ｍｍ、高さ約２００ｍｍの概略円柱形状である。
【００４６】
図１２は、筐体１００に内包されている光源ユニットを示す斜視図である。図１２に示される光源ユニットは、光源台３１０と、６つの光源３００とを有する。なお、６つの光源３００は、３つの赤色領域の波長の光を射出する光源と、３つのオレンジ色領域の波長の光を射出する光源とによって構成され、異なる色を射出する２個の光源が隣接して配置されている。また、光源ユニットの中央には貫通孔３２０が設けられている。貫通孔３２０は、後述する整流板５００の筒５１０が嵌入される箇所である。
【００４７】
図１３は、整流板５００を示す斜視図である。図１３に示される整流板５００は、噴霧器２００から放出される霧を誘導する筒５１０と、光源３００から射出される光線を透過させるための隙間５２０とを備える。なお、整流板５００は、本実施例の装飾用照明装置から適宜取り外すことが可能である。
【００４８】
図１４は、整流板５００を取り外した状態における本実施例の装飾用照明装置が具現化する光を示す図であり、図１５は、整流板５００を取り付けた状態における本実施例の装飾用照明装置が具現化する光を示す図である。
【００４９】
本実施例の装飾用照明装置においては、整流板５００の有無に関わらず、上記の自然な炎の形状及び動作を具現化することができた。ただし、整流板５００を設けた場合（図１５参照）の方が、設けなかった場合（図１４参照）と比較して、光がまとまり、より自然な炎の形状をしているように見えた。
【符号の説明】
【００５０】
１０、１００                    筐体
１１                            開口
１２                            内部空間
１３Ａ、１３Ｂ、１３０          空気穴
１４                            窪み
２０、２００                    噴霧器
３０、３０Ａ、３０Ｂ、３００    光源
３１０                          光源台
３２０                          貫通口
４０、４００                    ファン
５０、５００                    整流板
５１、５１０                    筒
５２、５２０                    隙間
９０、９１、９２                光
６００                          操作ボタン
【図１】
2018006200.tif 000003
【図２】
2018006200.tif 000004
【図３】
2018006200.tif 000005
【図４】
2018006200.tif 000006
【図５】
2018006200.tif 000007
【図６】
2018006200.tif 000008
【図７】
2018006200.tif 000009
【図８】
2018006200.tif 000010
【図９】
2018006200.tif 000011
【図１０】
2018006200.tif 000012
【図１１】
2018006200.tif 000013
【図１２】
2018006200.tif 000014
【図１３】
2018006200.tif 000015
【図１４】
2018006200.tif 000016
【図１５】
2018006200.tif 000017